(57)【要約】【課題】製造コストを低減でき、移載中に物品に塵埃の付着が無く、生産効率を向上させることができる無人搬送車および無人搬送システムを提供する。【解決手段】走行経路４に沿って配置されるステーション３との間で物品５の受け渡しを行う物品受渡口９ｂを有する物品収納庫９ａを備えた無人搬送車２であって、該物品受渡口９ｂの周囲に配置されてステーション３へ向けてエアを噴出する空気噴出部１４Ｆ・１４Ｒ・１５を有する第一空気噴出手段を備え、前記第一空気噴出手段より進行方向前側に配置される吸引ダクト１９Ｆを備え、前記物品受渡口９ｂ上縁部からダウンフローとなるエアを噴出する空気噴出部２８を有する第二空気噴出手段を設けた。【選択図】　図３
2004060955.tif 000002
【特許請求の範囲】
【請求項１】
走行経路に沿って配置されるステーションとの間で物品の受け渡しを行う物品受渡口を有する物品収納庫を備えた無人搬送車であって、該物品受渡口の周囲に配置されてステーションへ向けてエアを噴出する第一空気噴出手段を備えたことを特徴とする無人搬送車。
【請求項２】
前記第一空気噴出手段より進行方向前側に配置される吸引手段を備えたことを特徴とする請求項１に記載の無人搬送車。
【請求項３】
前記第一空気噴出手段より進行方向前側に配置される補助空気噴出手段を設けたことを特徴とする請求項１に記載の無人搬送車。
【請求項４】
前記物品受渡口上縁部からダウンフローとなるエアを噴出する第二空気噴出手段を設けたことを特徴とする請求項１から請求項３のいずれかに記載の無人搬送車。
【請求項５】
物品を受け渡すための物品受渡口を有する物品収納庫を備えた無人搬送車と、無人搬送車の走行経路に沿って配置され、第一扉によって開閉して無人搬送車との間で物品を受け渡す物品受渡口とを有する物品収納庫を設けたステーションとを備え、ステーションの物品受渡口の無人搬送車の進行方向前後に壁部材を形成し、無人搬送車に、物品受渡口の周囲にステーションに向けてエアカーテンを形成するようにエアを噴出する空気噴出手段が配置される、ことを特徴とする無人搬送システム。
【請求項６】
前記無人搬送車の物品受渡口に、開閉自在な第二扉が配置され、前記第一扉及び第二扉は、無人搬送車がステーションの停車位置へ着く前から開き始め、停車位置を離れてから閉じ終わるように制御され、第一扉が開き始めて閉じ終わるまで、第一扉の開口が前記エアカーテン内に位置する、ことを特徴とする請求項５に記載の無人搬送システム。
【発明の詳細な説明】
【０００１】
【発明の属する技術分野】
本発明は、クリーン環境下で物品を搬送するための無人搬送車およびそのシステムに関する。
【０００２】
【従来の技術】
従来、液晶ガラスを搬送する搬送システムにおいて、多数の収納棚を設けた容器に液晶ガラスを二十から三十枚収納し、これを無人搬送車で、液晶ガラスを製造するための処理装置間を搬送するシステムが知られている。このシステムでは、液晶ガラスが露出しているので、塵埃が付着しないように製造工場全体のクリーン度を高くする必要があり、製品の製造コストが高くなるという問題があった。
【０００３】
【発明が解決しようとする課題】
そのため、製造工場全体のクリーン度を低くして、無人搬送車の液晶ガラスの収納庫及び処理装置のステーションにシャッタをそれぞれ設け、無人搬送車がステーションに停止してから両者のシャッタを開けて移載するという方法が考えられる。ところがこの方法では、シャッタを開けるまでにシャッタ周辺の塵埃をなくす作業があるため移載に時間がかかり、生産効率は向上しないという問題と、移載中に露出する液晶ガラスにまだ塵埃が付着するという問題があった。
そこで、製造コストを低減でき、移載中に物品に塵埃の付着が無く、生産効率を向上させることができる無人搬送車および無人搬送システムを提供することが課題である。
【０００４】
【課題を解決するための手段】
本発明の解決しようとする課題は以上の如くであり、次に該課題を解決するための手段を説明する。
即ち、請求項１においては、走行経路に沿って配置されるステーションとの間で物品の受け渡しを行う物品受渡口を有する物品収納庫を備えた無人搬送車であって、該物品受渡口の周囲に配置されてステーションへ向けてエアを噴出する第一空気噴出手段を備えたものである。
【０００５】
請求項２においては、前記第一空気噴出手段より進行方向前側に配置される吸引手段を備えたものである。
【０００６】
請求項３においては、前記第一空気噴出手段より進行方向前側に配置される補助空気噴出手段を設けたものである。
【０００７】
請求項４においては、前記物品受渡口上縁部からダウンフローとなるエアを噴出する第二空気噴出手段を設けたものである。
【０００８】
請求項５においては、物品を受け渡すための物品受渡口を有する物品収納庫を備えた無人搬送車と、無人搬送車の走行経路に沿って配置され、第一扉によって開閉して無人搬送車との間で物品を受け渡す物品受渡口とを有する物品収納庫を設けたステーションとを備え、ステーションの物品受渡口の無人搬送車の進行方向前後に壁部材を形成し、無人搬送車に、物品受渡口の周囲にステーションに向けてエアカーテンを形成するようにエアを噴出する空気噴出手段が配置されるものである。
【０００９】
請求項６においては、前記無人搬送車の物品受渡口に、開閉自在な第二扉が配置され、前記第一扉及び第二扉は、無人搬送車がステーションの停車位置へ着く前から開き始め、停車位置を離れてから閉じ終わるように制御され、第一扉が開き始めて閉じ終わるまで、第一扉の開口が前記エアカーテン内に位置するものである。
【００１０】
【発明の実施の形態】
以下において、本発明の無人搬送車の二つの実施例について、図面を用いて説明する。
図１は無人搬送システム１の構成を示す概略図であり、図２はステーション３に対向する搬送車２を示す平面断面図であり、図３は搬送車２を示す斜視図であり、図４は搬送車２およびステーション３の正面一部断面図であり、図５はダクト１２の斜視図であり、図６は各空気噴出手段の制御構成を示すブロック図であり、図７は移載準備時の各空気流の流れを示す平面図であり、図８はシャッタ１０・１０の開閉機構を示す斜視図であり、図９はシャッタ１０・１０開放から移載動作開始前までの過程を示す搬送車２およびステーション３の概略平面図であり、図１０は移載動作開始後からシャッタ１０・１０閉止までの過程を示す搬送車２およびステーション３の概略平面図であり、図１１は第二実施例における各空気噴出手段の制御構成を示すブロック図であり、図１２は第三実施例の搬送車５２を示す斜視図であり、図１３は補助空気噴出手段を示す斜視図である。
【００１１】
まず、無人搬送システム１の構成について説明する。
図１から図４に示すように、無人搬送システム１には、第一実施例の無人搬送車（以下搬送車）２と、ステーション３とが備えられる。搬送車２の本体フレーム９には、走行用の車輪３５・３５・・・が設けられている。
ステーション３は、例えば、ＦＰＤ（Ｆｌａｔ　Ｐａｎｅｌ　Ｄｉｓｐｌａｙ）用のガラス基板や樹脂基板を製造するための処理装置に設けられるもので、背面側に不図示の処理装置本体が設けられている。なお、処理装置に限らず、物品５を一時的に収納するストッカや、検査装置のステーションであっても良い。
このステーション３は、搬送車２により搬送される物品５が載置されるようになっており、搬送車２の走行経路４に沿って、該走行経路４の両側に複数個が配置される。なお、ステーション３を走行経路４の一側にのみ配置する構成としても良い。また、図１に示す領域の走行経路４は直線経路としているが、曲線経路を接続して全体をループ状としてもよい。
物品５は、ＦＰＤ、例えば、液晶やプラズマ・ディスプレイ用のガラス基板や、有機ＥＬ（Ｅｌｅｃｔｒｏ　Ｌｕｍｉｎｅｓｃｅｎｃｅ）用の樹脂の基板等の板状物を収納したカセットとしており、品質の維持のためにクリーン環境下に保存されることを要するものである。
また、走行経路４の両側には、ステーション３・３間にパネル６・６・・・が立設されて、走行経路４を囲うようになっている。
【００１２】
以下において、搬送車２の走行経路４に沿った進行方向を基準として、方向を定義するものとする。すなわち、搬送車２の進行方向を前後方向とし、該進行方向と水平面内で垂直となる方向を左右方向とする。
また、搬送車２は走行経路４に対して前後いずれの向きに対しても走行可能であるが、説明の便宜上、図１から図２等にて矢印Ｆで示す向きを搬送車２の進行方向前方の向きとする。
【００１３】
図２に示すように、ステーション３には、該ステーション３の本体フレーム７の内部に物品収納庫７ａが形成され、該物品収納庫７ａに物品を受け渡すための物品受渡口７ｂが本体フレーム７に形成される。なお、本体フレーム７において、物品受渡口７ｂが形成される壁面を、開口側正面壁７ｃとする。また、該物品受渡口７ｂを開閉するための一対のシャッタ８・８が備えられる。
一方、搬送車２においては、該搬送車２の本体フレーム９の内部に、物品収納庫９ａが形成され、該本体フレーム９の左右両側面には、物品５を移載するための物品受渡口９ｂ・９ｂが形成される。また、左右の物品受渡口９ｂを開閉するための一対のシャッタ１０・１０が、搬送車２の左右両側にそれぞれ備えられる。
なお、物品受渡口７ｂ・９ｂの開口の大きさは、ほぼ同程度の大きさとなるように形成され、ほぼ同じ高さ位置にある。また、シャッタ８・８及びシャッタ１０・１０は、同じ機構を用いている。
【００１４】
また、搬送車２には、物品５の移載手段として、スカラアーム式の移載装置１１が備えられている。そして、搬送車２がステーション３に到着し、物品受渡口７ｂ・９ｂが対向した状態で、前記シャッタ８・８およびシャッタ１０・１０を開放すると、物品受渡口７ｂ・９ｂ間で物品５の移載が可能である。
【００１５】
物品受渡口７ｂ・９ｂ間は離間しており、シャッタ８・１０を開放した物品５の移載時には、何の措置も施さなければ、移載される物品５に、搬送車２およびステーション３の外部の空気が流入して接触してしまう。
そこで、搬送車２には、物品５と搬送車２外部の空気との接触を防ぐ手段として、ステーション３側（走行経路４側方）へ空気を噴射する第一空気噴出手段が物品受渡口７ｂの周囲に備えられている。この第一空気噴出手段の作動により、エアカーテンが形成されて、物品受渡口７ｂ・９ｂ間を結ぶ物品移載経路がクリーントンネルとなるようにしている。そして、前記外部空気が塵埃を含むようなクリーン度の低い空気であっても、該空気が物品５に接触することがないようにしている。
【００１６】
第一空気噴出手段の構成について説明する。
図３、図４に示すように、搬送車２の左右には、側方及び上方に突出するダクト１２・１２が設けられている。ダクト１２の側方突出部１２ａは、物品受渡口９ｂの上方および前後を囲うように、逆凹字状に形成されている。
図３、図５に示すように、側方突出部１２ａの側端面には、物品受渡口９ｂを囲うように、多数のエアノズル１３・１３・・・が設けられている。
エアノズル１３・１３・・・は、配設部位によって三つの空気噴出部に分類される。物品受渡口９ｂの前後に位置するエアノズル１３・１３・・・により、それぞれ空気噴出部１４Ｆ・１４Ｒが構成され、物品受渡口９ｂの上方に位置するエアノズル１３・１３・・・により、空気噴出部１５が構成される。
図３に示すように、一つのダクト１２の上方突出部１２ｂには、ファン・フィルタ・ユニット（以下ＦＦＵ）１６とＦＦＵ２９・２９とが設けられている。ＦＦＵ１６・２９・２９は、ダクト１２を介して、エアノズル１３・１３・・・に陽圧のエアを供給する手段であると共に、エアフィルタを備えており、ダクト１２に供給するエアはクリーンである。ここで、供給用のエアは、ＦＦＵ１６においては搬送車２の上方より吸引し、ＦＦＵ２９・２９においては搬送車２の側部に設ける吸引ダクト１９Ｆ・１９Ｒ（後述）より、吸引する構成である。
つまり、第一空気噴射手段は、物品受渡口９ｂの周囲に沿って門型に形成され、内部が連通しているダクト１２に配設された前記各空気噴出部１４Ｆ・１４Ｒ・１５を備えている。第一空気噴出手段のエア供給源は、ダクト１２上部に配置したＦＦＵ１６・２９・２９であり、各ＦＦＵからの送気は全てダクト１２に集められた後、各空気噴出部１４Ｆ・１４Ｒ・１５のエアノズル１３からステーション３に向けて噴出される。なお、ダクト１２を各噴出部１４Ｆ・１４Ｒ・１５毎に仕切って、ＦＦＵ１６・２９・２９を各々接続するようにしても良い。
【００１７】
図６に示すように、搬送車２には、前記第一空気噴出手段を制御する制御手段１７が設けられている。制御手段１７は電子回路で構成されており、該制御手段１７と信号伝達可能に接続される各装置を制御する。
また、第一空気噴出手段を構成する各空気噴出部とＦＦＵ１６・２９・２９とは、エア配管を介して連通接続される。
制御手段１７はＦＦＵ１６・２９・２９と信号伝達可能に接続されて、ＦＦＵ１６・２９・２９の駆動を制御する。そして、制御手段１７がＦＦＵ１６・２９・２９の駆動を制御することにより、各空気噴出部による空気噴射量を調整可能である。
【００１８】
図７に示すように、搬送車２は、移載作業時間を短縮するために、ステーション３へ到達する前に、前記シャッタ１０・１０を開放して、移載準備を行う。このようにして、ステーション３への到着後に、シャッタ１０・１０を開放する場合に比して、移載作業全般に要する作業時間を短縮する。
一方、搬送車２の前側の空気は、搬送車２の走行により、搬送車２に対して陽圧として作用する。シャッタ１０・１０を開放した状態で搬送車２が走行すると、前記前側空気による空気流Ａ０が、搬送車２の全面に向かって流れると共に搬送車２の側面に回りこんで、物品収納庫９ａ内に侵入しようとする。
【００１９】
前記第一空気噴出手段は、シャッタ１０・１０を開放した搬送車２の走行時において、搬送車２の外部の空気が物品収納庫９ａ内へ侵入するのを防止する手段としても機能する。
第一空気噴出手段の駆動により、物品収納庫９ａの前後および上方において、ステーション３側（走行経路４の外側）への空気流が、それぞれ発生する。ここで、空気噴出部１４Ｆより発生する空気流をＡ１とする。
そして、前側空気の空気流Ａ０は、該空気流Ａ１により、物品収納庫９ａ内に侵入する前に走行経路４の外側へ押しやられて、物品収納庫９ａ内に侵入することが防止される。
【００２０】
さらに、図３、図６に示すように、搬送車２の側面に回りこんできた空気流Ａ０による影響を除くために、搬送車２には、エアの吸引手段が設けられている。エア吸引手段は、前記物品受渡口９ｂを囲むように配設されている前記ダクト１２より進行方向前側に設けられるものであるが、この搬送車２は往復走行するために進行方向前後両側に配置されている（ダクト１９Ｆ・１９Ｒ）。
吸引ダクト１９Ｆ・１９Ｒは、それぞれエアを吸引するための多数のエア吸引孔１９ａを上下方向に千鳥状となるように二列形成すると共に、前記ＦＦＵ２９・２９の吸引側にそれぞれ接続され、第一空気噴出手段の空気噴出部からクリーンエアが噴出される。なお、エア吸引孔１９ａは、上下方向に長い一本の長孔としても良い。
【００２１】
図７に示すように、物品受渡口９ｂの進行方向前側に、吸引部の吸引ダクト１９Ｆを設けることで、搬送車２の側面に回りこんできた空気流Ａ０を誘導して、消失させることができる。
特に、物品受渡口９ｂの進行方向前側に設ける空気噴出部１４Ｆの前側に、吸引ダクト１９Ｆを設けることで、空気流Ａ０が空気噴出部１４Ｆからの空気流Ａ１と交わる前に、空気流Ａ０を弱化することができ、空気流Ａ１によるエアカーテンを確実に形成させることができる。
【００２２】
また、図５に示すように、物品受渡口９ｂの進行方向前側でエアを噴出する第一空気噴出手段は、空気噴出方向が進行方向前方に傾斜するようにされている。つまり、空気噴出部１４Ｆを構成する各エアノズル１３は、空気噴出方向が進行方向前方にも向くものとなっている。
このため、該空気噴出部１４Ｆより噴出されるエアにより、進行方向前方にもエアの流れを発生させて、前記空気流Ａ０の後側への流れを打ち消し、空気流Ａ０を弱化させるようにしている。
なお、搬送車２は進行方向が逆転可能であるので、空気噴出部１４Ｒを構成する各エアノズル１３の空気噴出方向は、進行方向後方に傾斜したものとなっている。
【００２３】
さらに、物品受渡口９ｂの上方でエアを噴出する第一空気噴出手段は、空気噴出方向が上方となるように設けられている。
図５に示すように、第一空気噴出手段の空気噴出部１４Ｆ・１４Ｒ・１５からの空気噴出方向は、いずれも、移載時における物品受渡口７ｂ・９ｂ間を結ぶ経路と平行ではなく、該経路よりも外側に広がる方向となっている。
そして、第一空気噴出手段により、前記経路を保護するエアカーテンを形成するだけでなく、前記経路の外側に伝搬する陽圧を発生させて、搬送車２およびステーション３外部空気の前記経路への侵入を防止するようにしている。
【００２４】
図２、図７に示すように、第一空気噴出手段によるエアの噴出先は、ステーション３もしくは前記パネル６となっている。
無人搬送システム１においては、ステーション３・３間で、走行経路４に沿ってパネルが配置されて、搬送車２とステーション３との間、または搬送車２とパネル６との間の隙間が局限されるようにしている。パネル６は、矩形状の平板部材であり、ステーション３・３間に隙間なく設けられている。
ステーション３には、本体フレーム７の開口側正面壁７ｃに、搬送車２と対向する物品受渡口７ｂが形成されている。つまり開口側正面壁７ｃは、搬送車２と対向するように（搬送車２の進行方向に沿って）形成されている。そして、該開口側正面壁７ｃの前後両端に、パネル６の前後一側端が接触するようにパネル６を配置して、走行経路４がステーション３とパネル５とに隙間なく囲まれるようにする。
つまり、ステーション３の物品受渡口７ｂの前後に、本体フレーム７の開口側正面壁７ｃもしくはパネル６により、搬送車２に対向する壁部材を形成するものである。
そして、前記局限された隙間内で、第一空気噴出手段がステーション３またはパネル６に向けてエアを噴出する。
【００２５】
搬送車２との間に若干の隙間を開けてパネル６（又はステーション３）を配置することで、第一には、前記前側空気の空気流Ａ０の物品受渡口９ａ側への回り込み量が制限され、第二には、各エアノズル１３により形成されるエアカーテンの長さを短縮できるので、噴射されるエアの圧が、搬送車２からパネル６に到達するまでに圧力低下しにくくなる。
したがって、物品収納庫９ａ内への塵埃の侵入を防ぐために要するエアの噴射量を、パネル６を設けない場合と比べて、低減することができる。
また、開口側正面壁７ｃもしくはパネル６により形成される壁部材に向けて、第一空気噴出手段がエアを噴射することで、該壁部材およびシャッタ８・８に付着した塵埃を除去しながら、搬送車２が走行する。したがって、シャッタ８・８の開時に巻き上がる塵埃がないため、物品受渡口７ｂ・９ｂ間で移載される物品５に塵埃が付着することがない。
【００２６】
なお、以上の効果は、少なくとも物品受渡口７ｂの前後に壁部材が形成される構成であればよい。本実施例では、パネル６はステーション３・３間を埋め尽くすように、全面的に配置する構成としているが、途中のパネルを省略して、ステーション３の少なくとも前後位置に適当数のパネル６を配置して、前記開口側正面壁７ｃおよび適当数のパネル６により、壁部材が形成される構成としてもよい。
【００２７】
走行時、特に、前述したシャッタ１０・１０を開放した移載前の準備状態において、搬送車２の進行方向前方からの空気流Ａ０の影響を除くためには、少なくとも、前記前側でエアを噴出する第一空気噴出手段（空気噴出部１４Ｆ）が駆動していれば良い。このときに最も影響が大きいのは、搬送車２の走行に伴って生じる前側からの空気流Ａ０であるが、前記前側の第一空気噴出手段は、該空気流Ａ０の流れ方向を矯正したり、弱化させる作用があり、また、前記ステーション３側のシャッタ８・８の塵埃を除去する作用をも有する。
したがって、前記走行時において、制御手段１７は、少なくとも前記前側の第一空気噴出手段を作動させる。
【００２８】
搬送車２には、物品５にクリーンエアを噴出して、物品収納庫９ａ内を陽圧とする庫内空気噴出手段が設けられている。
図３に示すように、庫内空気噴出手段は、車体フレーム９の上部に設けたファン・フィルタ・ユニット（以下ＦＦＵ）１８と、物品収納庫９ａ内部に開口する図示せぬエアノズルとから構成される。ＦＦＵ１８はエアフィルタを備えており、クリーンエアを供給可能である。
【００２９】
このため、庫内空気噴出手段の駆動により物品収納庫９ａ内が常時クリーンに保たれる。
また、物品収納庫９ａ内が陽圧とされるので、シャッタ１０・１０を開放した状態で、特に、前記移載前の準備状態において、外部空気の流入が防止される。
【００３０】
次に、前記シャッタ１０・１０について説明する。
搬送車２には、前述したように、物品収納庫９ａを開閉する扉として、一対のシャッタ１０・１０が、車体フレーム９の左右にそれぞれ設けられている。
このため、シャッタ１０・１０を閉じることで、物品受渡口９ａから塵埃が物品収納庫９ａ内へ侵入することを防ぐことができる。
搬送車２は、目的のステーション３に近づくと、移載準備のために、シャッタ１０・１０を開放しながら走行するが、通常の搬送走行時には、シャッタ１０・１０を開放する必要はない。したがって、必要に応じてシャッタ１０・１０を閉じることで、前記第一空気噴出手段を駆動させることなく、物品収納庫９ａ内をクリーンに保つことができる。
【００３１】
図８を用いて、シャッタ１０・１０の開閉機構について説明する。
シャッタ１０・１０は、合成樹脂をシート状に形成して、屈曲させても折り目がつかない部材としている。そして、シャッタ１０・１０はそれぞれ、中央から左右へ引戸状に物品受渡口９ａを開閉するものとし、開放状態のシャッタ１０・１０のそれぞれが、直角に向きを屈曲されて、搬送車２の左右方向内側に収納されるようにしている。
シャッタ１０・１０の駆動手段として、駆動モータ２０と、コ字形状の循環経路を移動する駆動ベルト２１とが、設けられている。前記循環経路に沿って、駆動モータ２０により駆動される駆動プーリ２２および従動プーリ２３・２３・・・、テンションローラ２４・２４・・・が配置され、駆動ベルト２１が駆動モータ２０により駆動されるようにしている。
シャッタ１０には、移動方向の両端に、ガイド部２５ａ・２５ｂが固設されており、該ガイド部２５ａ・２５ｂが駆動ベルト２１と連結金具２６・２６を介して、連結される。駆動ベルト２１は循環経路を移動するようになっているため、搬送車２に対する外側部分２１ａと、内側部分２１ｂとで移動方向が逆転している。そして、一方のシャッタ１０を駆動ベルト２１の外側部分２１ａに固定し、他方のシャッタ１０を駆動ベルト２１の内側部分２１ｂに固定することで、同一の駆動ベルト２１の駆動により、両シャッタ１０・１０を同時に開閉可能としている。
また、両シャッタ１０・１０のガイド部２５ａ・２５ａは、物品受渡口９ａの上下に設けるガイド２７・２７により、前後方向（シャッタ１０・１０の開閉方向）に案内される。ガイド２７は、ガイドレール２７ａと、該ガイドレール２７ａに対して摺動するガイド部材２７ｂとから構成され、上下のガイド部材２７ｂ・２７ｂにシャッタ１０のガイド部２５ａが固設されて、シャッタ１０が案内される。
このように構成されているため、一対のシャッタ１０・１０は、物品受渡口９ｂに沿って同一直線上を接近・離間するようになっており、シャッタ１０・１０の縁と縁とを密着させることができる。
【００３２】
以上構成により、シャッタ１０・１０は引戸状としながらも、屈曲させ収納するので、収納が省スペースで可能である。
また、シャッタ１０・１０は両開きとされているので、一つのシャッタにより開閉を行う場合と比べて、高速開閉が可能である。さらに、両開きとすることで、搬送車２の前後方向で対称となっており、搬送車２が前後いずれの側からステーション３に接近しても、シャッタ１０・１０の開放タイミングを同一とすることができる。
なお、シャッタ１０・１０の開閉機構は、前述したベルト式に代えて、駆動軸の回りに巻き取る巻取り式としてもよい。
【００３３】
図３、図５を用いて、物品受渡口９ｂの上縁部からダウンフローとなるエアを噴出する第二空気噴出手段について説明する。
ダクト１２の側方延出部１２ａの内側上端、つまり、物品受渡口９ｂの上縁部となる部位には、エアノズルが設けられる。該エアノズル群により空気噴出部２８が構成される。
そして、前記上縁部に位置する空気噴出部２８と、該空気噴出部２８へダクト１２を介してクリーンエアを供給可能な前記ＦＦＵ１６・２９・２９とにより、第二空気噴出手段が構成される。なお、図６に示すように、各空気噴出手段は、陽圧発生源としてのＦＦＵ１６・２９・２９をそれぞれ兼用する構成である。
【００３４】
第二空気噴出手段の駆動により、シャッタ１０・１０の外面にクリーンエアが噴出されて、該外面に付着した塵埃を除去することが可能である。したがって、シャッタ１０・１０の開放前に、第二空気噴出手段を駆動させることで、シャッタ１０・１０の外面に付着した塵埃が物品収納庫９ａ内に侵入することを防止できる。また、シャッタ１０・１０の開放時に、第二空気噴出手段を駆動させることで、物品受渡口９ｂを閉じるエアカーテンを形成することができ、物品受渡口９ｂが開放された状態でも物品収納庫９ａ内への塵埃の侵入を防止できる。
【００３５】
次に、図９、図１０を用いて、搬送車２とステーション３との間での移載作業の各過程の一例について説明する。
図９、図１０では、物品５を収容した搬送車２が目的のステーション３に向かって走行し、目的のステーション３に到着後、物品５をステーション３に移載して、その後、ステーション３から離れて走行していく過程を示している。
【００３６】
本明細書において、「移載作業」は「移載動作」と「移載前予備動作」と「移載後予備動作」とを合わせたものとする。
「移載動作」とは、物品受渡口７ｂと物品受渡口９ｂとが対向した後に、移載装置１１による物品５の移載に関わる作業を指すものとする。
また、「移載前予備動作」とは、物品受渡口７ｂと物品受渡口９ｂとが対向する前における、シャッタ１０・１０の開閉や各空気噴出手段の駆動に関わる作業を指すものとし、「移載後予備動作」は同じく前記「移載動作」完了した後の各種作業を指す。前述の「移載前の準備状態」とは、特に、「移載前予備動作」の実行状態のことを指す。
【００３７】
図９（ａ）に示すように、搬送車２が、移載目的のステーション３の手前の第一所定位置に到達すると、「移載前予備動作」が開始される。「移載前予備動作」の開始時は、「移載作業」の開始時である。
すなわち、搬送車２は、まず、前記各空気噴出手段および吸引手段の駆動を開始する。吸引手段である吸引ダクト１９Ｆで物品収納庫９ａの物品受渡口９ｂ側へ回り込む前記空気流Ａ０の大部分を吸引する。そして、第一空気噴出手段は、パネル６に向かって逆凹字状のエアカーテン、いわば空気の壁を作って、吸引手段で弱まった空気流Ａ０が物品受渡口９ｂ側へ侵入するのを防ぐと共に、開口側正面壁７ｃに付着した塵埃を除去する。庫内空気噴出手段は、物品収納庫９ａ内を陽圧として、シャッタ１０・１０の開放時の塵埃の侵入を防止する。第二空気噴出手段は、シャッタ１０・１０の外面に付着した塵埃を除去する。
【００３８】
図９（ｂ）に示すように、搬送車２が、移載目的のステーション３の手前の第二所定位置に到達すると、シャッタ１０・１０の開放が開始される。
ここで、搬送車２に備えるシャッタ１０・１０と、ステーション３に備えるシャッタ８・８とが同期して駆動するように、シャッタ８・８の開放タイミングに対応して、シャッタ１０・１０の開放タイミングが設定されている。つまり、シャッタ８・８が完全に開放された時点で、シャッタ１０・１０も同時に完全に開放されるようにしている。
なお、ステーション３に備えるシャッタ８・８も、中央から左右に向けて開閉する引戸、もしくは前記シャッタ１０・１０と同様に引戸状とされている。
加えて、図９（ｃ）に示すように、シャッタ８・８とシャッタ１０・１０との開放が完了した時点で、両物品受渡口７ｂ・９ｂが重複するようにしている。そして、搬送車２がステーション３の直側方に到着した時点で、物品受渡口７ｂと物品受渡口９ｂとを結ぶ移載経路が形成されるように、搬送車２の走行速度が制御される。このため、前記到着時点で、「移載動作」が直ちに開始可能である。
【００３９】
物品収納庫９ａは、「移載前予備動作」の開始時より、前記各空気噴出手段の作動によりエアカーテンで保護されているので、シャッタ１０・１０の開閉に関わりなく塵埃が侵入してくることがない。
一方、ステーション３の物品収納庫７ａは、本実施例では、外部へエアを噴出する噴出手段を備えぬ構成であるが、搬送車２に備える第一空気噴出手段により、シャッタ８・８を開けた際に、物品収納庫７ａ内部が保護されるようにしている。
つまり、シャッタ８・８の開放の開始は、第一空気噴出手段の空気噴出部１４Ｆによるエア噴出位置が、物品受渡口７ｂの前後中央位置を越えた時点以降に行う。そして、シャッタ８・８の開口部分を、第一空気噴出手段により噴出されるエアで前後および上方を囲いながら、搬送車２が走行する。このようにして、「移載前予備動作」において、物品収納庫７ａ・９ａ内の空気が、シャッタ８・８およびシャッタ１０・１０の開閉度に関わりなくクリーンに保つようにしている。
また、開口側正面壁７ｃおよびパネル６からなる壁部材上の塵埃も、第一空気噴出手段のエア噴射により除去されるので、該壁部材上の塵埃が、シャッタ８・８およびシャッタ１０・１０の開口を介して、物品収納庫７ａ・９ａ内に侵入することがない。
【００４０】
図９（ｃ）に示す状態は、搬送車２が移載目的のステーション３に到着した状態、つまり、物品受渡口７ｂ・９ｂが重複する状態である。このときの搬送車２の停止位置を、第三所定位置とする。
搬送車２は第三所定位置に到着すると停止して、「移載動作」を開始する。この時点が「移載前予備動作」の終了時であり、前述したように、シャッタ８・８およびシャッタ１０・１０の開放が完了している。「移載動作」は、具体的には、前記スカラアーム式の移載装置１１を駆動させて、物品５をステーション３側へ移動させて行う。
【００４１】
なお、「移載動作」中は、物品５に塵埃が付着するのを防ぐために、エアカーテンを継続して作り続けておく必要があり、空気噴出手段は継続的に動作させておく必要があるが、走行中の空気流が物品収納庫９ａに入るのを効果的に防ぐために用いられる前記吸引手段（吸引ダクト１９Ｆ）は、電力の消費を抑えるために停止させても良い。吸引手段を停止させた場合は、走行を開始する「移載後予備動作」へ進むときに、再度作動させるようにする。
【００４２】
図１０（ｄ）に示すように、移載装置１１の移載ハンド（物品支持部）１１ａが、物品受渡口７ｂ・９ｂを通過してステーション３内に挿入されて、物品５が物品収納庫９ａより物品収納庫７ａへ移載される。
【００４３】
図１０（ｅ）に示すように、物品５のステーション３への移載が終了すると、前記移載ハンド１１ａが物品収納庫９ａ内に収納され、「移載動作」が完了する。
「移載動作」が完了すると、シャッタ８・８およびシャッタ１０・１０の閉止が開始される。同時に、搬送車２の走行が開始される。この時点は、「移載動作」の完了時点であると共に、「移載後予備動作」の開始時点である。
なお、「移載動作」中は、前記各空気噴出手段は作動状態のままとされており、物品受渡口７ｂ・９ｂ間の経路の外側にエアカーテンが形成されたままであり、該経路内および物品収納庫７ａ・９ａ内に、塵埃を含んだ外部空気が侵入することがない。
【００４４】
そして、「移載動作」が完了した搬送車２は、移動を開始し、図１０（ｆ）に示すように、搬送車２がステーション３の奥側となる第四所定位置に到達すると、シャッタ８・８およびシャッタ１０・１０の閉止が完了する。シャッタ８・８およびシャッタ１０・１０の閉止が完了すると、前記各空気噴出手段および吸引手段の駆動が停止される。この時点が、「移載後予備動作」の終了時である。
シャッタ８・８の閉止の完了は、第一空気噴出手段の空気噴出部１４Ｒによるエア噴出位置が、物品受渡口７ｂの前後中央位置を越える時点以前に行う。このように、シャッタ８・８の閉止の完了を制御することで、搬送車２が移動中であってもシャッタ８・８の開口部分は、常に第一空気噴出手段によるエアカーテンで覆われることとなり、物品収納庫７ａに塵埃が侵入することがない。
「移載後予備動作」が終了すると、搬送車２は、次の移載目標となるステーション３まで、前記各空気噴出手段を停止させたまま、走行する。「移載後予備動作」の終了時は、「移載作業」の終了時である。
【００４５】
なお、物品収納庫９ａ内をよりクリーンに保つために、庫内空気噴出手段は、常時作動させておいても良い。また、ステーション３の物品収納庫７ｂのシャッタ８・８は、その開口がエアカーテン内にあれば、その開閉するタイミングは、限定されるものではない。
【００４６】
以上のようにして、「移載前予備動作」、「移載動作」、「移載後予備動作」からなる「移載作業」の開始時から終了時までの間は、前記各空気噴出手段が作動するように、前記制御手段１７は各空気噴出手段を制御する。
このため、物品５の移載を行うことによって、塵埃が物品収納庫７ａ・９ａに侵入したり、物品５に付着したりすることがない。
【００４７】
また、搬送車２に備えるシャッタ１０・１０は、搬送車２での異常発生時には、自動的に閉止されるように構成されている。該異常発生とは、搬送車２に備える空気噴出手段や電気系統の故障や、搬送車２外部の故障等により搬送車２への給電が停止などが発生した場合を意味する。
シャッタ１０・１０は、その駆動モータ２０およびその制御手段が不図示の小型予備電源に接続されており、前記異常時には、常時充電されている二次電池やコンデンサ等の小型予備電源からの電力によりシャッタ１０・１０を閉じるように構成されている。また、予備電源などを用いずに、シャッタ１０・１０に不図示の付勢手段を設け、シャッタ１０・１０を閉める方向に付勢するようにしても良い。
【００４８】
このため、搬送車２に備える空気噴出手段や電気系統の故障や、搬送車２外部の故障等により搬送車２への給電が停止などが発生した際に、物品収納庫９ａを扉であるシャッタ１０・１０により密封して、前記各空気噴出手段の作動が停止しても、物品収納庫９ａ内部をクリーンに保つことができる。
また、異常時にシャッタ１０・１０を閉める構成とすることで、通常はシャッタ１０・１０を閉じることなく開放しておき、異常時のみシャッタ１０・１０を閉めるような搬送車としても良い。その場合、前記物品収納庫９ａ内に塵埃が入るのを防ぐために、各空気噴出手段を常時作動させておく必要があり、物品受渡口９ｂの周囲にエアカーテンを形成しておくことが好ましく、そのために第一空気噴出手段を常時作動させておくことが好ましい。物品収納庫９ａ内に塵埃が入るのをより確実に防ぐためには、さらに庫内空気噴出手段も常時作動させておくことが好ましく、さらに、強力なエアカーテンを作るために、第二空気噴出手段を作動させておくことが好ましい。なお、走行中は、進行方向前方からの前記空気流Ａ１を防ぐために、第一空気噴出手段に加えて、前記エアの吸引手段を動作させるようにすることが好ましい。
【００４９】
次に、図１１を用いて、前記第一空気噴出手段および第二空気噴出手段を個別制御する第二実施例の搬送車の制御構成について説明する。
第二実施例の搬送車は、第一空気噴出手段および第二空気噴出手段の制御構成が異なるのみで、他の点は第一実施例の搬送車２と同一である。したがって、以下において、同一部材に関しては同符号を用いると共に説明は省略し、両実施例で相違する制御構成についてのみ説明する。
【００５０】
図１１に示すように、第一空気噴出手段を構成する各空気噴出部とＦＦＵ１６・２９・２９とは、エア配管を介して連通接続される。該各エア配管上には、電磁バルブが設けられており、各空気噴出部へのエア供給量を調整可能である。ＦＦＵ１６・２９・２９から空気噴出部１４Ｆへのエア配管上には、バルブ３１が設けられ、空気噴出部１４Ｒへのエア配管上にはバルブ３２、空気噴出部１５へのエア配管上にはバルブ３３が設けられる。
また、第二空気噴出手段の空気噴出部２８とＦＦＵ１６・２９・２９とも、エア配管を介して連通接続される。該各エア配管上にも、電磁バルブが設けられており、各空気噴出部へのエア供給量を調整可能である。ＦＦＵ１６・２９・２９から空気噴出部２８へのエア配管上には、バルブ３４が設けられる。
【００５１】
搬送車２には、第一空気噴出手段を制御する制御手段３７が設けられている。制御手段３７は電子回路で構成されており、該制御手段３７と信号伝達可能に接続される各装置を制御する。
制御装置３７には、ＦＦＵ１６・２９・２９、前記各バルブ３１・３２・３３・３４が信号伝達可能に接続されており、制御装置３７はこれらの各装置を制御する。そして、制御装置３７がＦＦＵ１６・２９・２９の駆動や各バルブ３１・３２・３３・３４の開閉量を制御することにより、各空気噴出手段による空気噴射量をそれぞれ調整可能である。
前述したように、移載作業時間を短縮するために、搬送車２は、移載目的となるステーション３へ到達する前に、前記シャッタ１０・１０を開放して、移載準備を行う。シャッタ１０・１０を開放した状態で走行すると、搬送車２の前側の空気が搬送車２に対して陽圧として作用し、物品収納庫９ａ内に侵入しようとする。前記移載前の準備状態において、空気噴出部１４Ｆからの空気噴射量を、他の空気噴出部からの空気噴射量に比して多くすることで、ＦＦＵ１６・２９・２９の駆動性能を最大限活用することができる。
なお、制御装置３７による各ＦＦＵ１６・２９・２９の駆動や各バルブ３１・３２・３３・３４の開閉量の制御には、各ＦＦＵ１６・２９・２９の停止、及び各バルブ３１・３２・３３・３４の全閉が含まれている。
【００５２】
また、本実施の形態では、第一空気噴出手段によりステーション３側に向かって、下方が開放している門型のエアカーテンを作成し、庫内空気噴出手段及び第二空気噴出手段からのクリーンエアを利用することにより、前記実施の形態において第一空気噴出手段でカバーしきれない下方からの塵埃の侵入を防ぐようになっているが、物品受渡口９ｂの周囲をロ字状に囲むようにエアノズル１３を配置するようにしても良い。このようにロ字状にエアノズル１３を配置することで、移載中に物品５に塵埃が付着することをより確実に防ぐことができる。また、第一空気噴出手段の各エアノズル１３は、広がる方向にエアが噴出するように配置されているが、進行方向に対して法線方向となるようにエアを真っ直ぐ噴出するようにしても良い。また、第一空気噴出手段の空気噴出部１４Ｆ・１４Ｒ・１５及び補助空気噴出手段の空気噴出部４５Ｆ・４５Ｒ（後述、図１２、図１３に図示）に、空気量調整手段を設け、全て均一にエアが噴出されるようにしても良く、角部などを部分的に多く噴出するようにしても良い。
【００５３】
また、本実施の一形態では、走行に伴って発生する進行方向前方からの前記空気流Ａ１を防ぐために、第一空気噴出手段に加えて、前記エアの吸引手段を動作させるようにしているが、この吸引手段の代わりに、進行方向前方にエアを噴射する補助空気噴出手段にしても良い。
つまり、前記吸引ダクト１９Ｆ（１９Ｒ）と同じ位置（第一空気噴出手段の空気噴出部１４Ｆ（１４Ｒ）より走行方向前側）に配置した空気噴出部から、進行方向前方へエアを噴出する。この補助空気噴出手段により、進行方向前側の空気の壁を厚くすることで、前記空気流Ａ１をより確実に防ぐことができる。
この補助空気噴出手段は、前記のように噴出部が第一空気噴出手段の空気噴出部１４Ｆ（１４Ｒ）より進行方向前側に配置されるのであるが、この噴出部の形状は上下方向に渡って、エアを進行方向前方へ噴出できるようにしたものであれば良く、空気噴出部とファンとは一体または別体に構成することができる。また、空気噴出部へ供給するエアは、前記第一空気噴出手段のようにクリーンエアとすることも考えられるが、むしろフィルタが設けられていないファンユニットからのエアを利用することが、より強いエアを供給することができ、この補助空気噴出手段の第一の目的である前記空気流Ａ１の侵入を防止する観点から、より好ましいものとなる。
【００５４】
図１２を参照しながら、前記補助空気噴出手段を備えた第三実施例の無人搬送車５２について説明する。
無人搬送車５２に備える補助空気噴出手段は、空気噴出部とファンとが一体となったクロスフローファンで構成されている。クロスフローファン４０Ｆ（４０Ｒ）は、前記第一空気噴出手段の空気噴出部１４Ｆ（１４Ｒ）の走行方向の前側および後側に設けられている。搬送車５２は前後方向に走行するものであるため、空気噴出部１４Ｆ・１４Ｒが搬送車５２の前後に設けられている。
【００５５】
図１３で示すように、クロスフローファン４０Ｆは、本体４１と、水平方向に回転する羽根車４２とを備えている。本体４１は、羽根車４２を支持するための一対の支持部４３・４３と、羽根車４２により空気を吸引する吸引ダクト４４と、吸引した空気を噴出する空気噴出部４５Ｆとを備えている。羽根車４２は、上下方向に回転軸が形成され、回転軸に沿って略全体に渡る羽４６を回転軸から放射状に多数配設している。吸引ダクト４４は、本体４１の略全長に渡って設けられた開口であって、開口を覆うようにメッシュ４８が配設される。空気噴出部４５Ｆは、吸引ダクト４４と隣接する面に形成され、吸引した空気が吸引方向と直交する方向に排出されるようになっており、この噴出方向を変えるための風向板４７が本体４１に設けられている。
図１２に示すように、クロスフローファン４０Ｆ（４０Ｒ）は、吸引ダクト４４が進行方向前側に向かって配置され、空気噴出部４５Ｆ（４５Ｒ）がステーション３側に向かうようになっており、さらに、空気噴出部４５Ｆ（４５Ｒ）からのエアの排出方向が、進行方向斜め前方となるように、風向板４７が調整されている。このように、補助空気噴出手段であるクロスフローファン４０Ｆ（４０Ｒ）の空気噴出部４５Ｆ（４５Ｒ）から強いエアが噴出されることで、前記エアカーテンの外側の進行方向前側に形成される空気の壁をより強力なものとすることができると共に、ステーション３の物品収納庫７ａに付着している塵埃をより確実に除去することができる。なお、補助空気噴出手段は、クリーンエアのエアカーテンの外側に形成され、エアカーテン内が汚染されることはないため、補助空気噴出手段にフィルタが設けられていなくても構わない。
【００５６】
【発明の効果】
請求項１記載の如く、走行経路に沿って配置されるステーションとの間で物品の受け渡しを行う物品受渡口を有する物品収納庫を備えた無人搬送車であって、該物品受渡口の周囲に配置されてステーションへ向けてエアを噴出する第一空気噴出手段を備えたので、
物品受渡口の周囲からステーションに向けてエアを噴出することで、物品受渡口の周囲にエアカーテンを形成し、そのエアによりステーションに付着している塵埃を吹き飛ばすと共に、搬送車がステーションと対向する位置で停止することにより、物品受渡口とステーションとの間の移載経路にエアカーテンを形成することができる。このため、物品受渡口を塞ぐ扉の有無に関わらず、塵埃が物品受渡口から物品に付着することを防ぐことができ、ステーションをクリーンにしてステーションの移載準備を補助すると共に、移載中に物品に塵埃が付着するのを防ぐことができる。そして、無人搬送車がステーションに着くと同時に移載を開始させることができ、生産効率を向上させることができる。
【００５７】
請求項２記載の如く、前記第一空気噴出手段より進行方向前側に配置される吸引手段を備えたので、
無人搬送車の走行により発生する進行方向前側からの空気を吸引することができ、走行により発生した空気がエアカーテンを通過するのをより確実に防ぐことができる。
【００５８】
請求項３記載の如く、前記第一空気噴出手段より進行方向前側に配置される補助空気噴出手段を設けたので、
無人搬送車の走行により発生する進行方向前側からの空気に対して、空気の壁を設けることができ、走行により発生した空気がエアカーテンを通過するのをより確実に防ぐことができる。
【００５９】
請求項４記載の如く、前記物品受渡口上縁部からダウンフローとなるエアを噴出する第二空気噴出手段を設けたので、
第二空気噴出手段の駆動により、扉の外面にクリーンエアが噴出されて、該外面に付着した塵埃を除去することが可能である。したがって、扉の開放前に、第二空気噴出手段を駆動させることで、扉の外面に付着した塵埃が物品収納庫内に侵入することを防止できる。また、扉の開放時に、第二空気噴出手段を駆動させることで、物品受渡口を閉じるエアカーテンを形成することができ、物品受渡口が開放された状態でも物品収納庫内への塵埃の侵入を防止できる。
【００６０】
請求項５記載の如く、物品を受け渡すための物品受渡口を有する物品収納庫を備えた無人搬送車と、無人搬送車の走行経路に沿って配置され、第一扉によって開閉して無人搬送車との間で物品を受け渡す物品受渡口とを有する物品収納庫を設けたステーションとを備え、ステーションの物品受渡口の無人搬送車の進行方向前後に壁部材を形成し、無人搬送車に、物品受渡口の周囲にステーションに向けてエアカーテンを形成するようにエアを噴出する空気噴出手段が配置されるので、
ステーションは第一扉により物品収納庫へ塵埃が入るのを防ぐことができ、無人搬送車は空気噴出手段で形成されるエアカーテンにより物品収納庫へ塵埃が入るのを防ぐことができる。そして、エアカーテンを形成することで、無人搬送車の走行中に扉の有無に関わらず、塵埃が庫内に入るのを防ぐことができ、無人搬送車がステーションに停止するための移動によりステーションの第一扉に付着している塵埃を除くことができる。そして、無人搬送車がステーションに停止することで、無人搬送車及びステーションの両物品受渡口との間に形成される移載経路をクリーンにすることができ、移載中に物品に塵埃が付着するのを防ぐことができる。この結果、無人搬送車がステーションに到着する前に無人搬送車の移載準備をすることができると共に、無人搬送車の到着に伴い第一扉を開けることが可能となり、搬送効率を向上させることができる上、移載中に物品に塵埃が付着するのを防ぐことができる。さらに、壁を形成することで、無人搬送車と壁との間に狭い空間を形成することができ、この空間をクリーンにすればよいので、エアカーテンを確実に形成することができる。この結果、無人搬送車の物品収納庫へ塵埃が入るのをより確実に防ぐことができると共に、移載中に物品に塵埃が付着するのをより確実に防ぐことができる。
【００６１】
請求項６記載の如く、前記無人搬送車の物品受渡口に、開閉自在な第二扉が配置され、前記第一扉及び第二扉は、無人搬送車がステーションの停車位置へ着く前から開き始め、停車位置を離れてから閉じ終わるように制御され、第一扉が開き始めて閉じ終わるまで、第一扉の開口が前記エアカーテン内に位置するので、無人搬送車に第二扉を設けることで、扉が閉まっているときには各空気噴出手段の作動を停止させることができる。この結果、無人搬送車の消費電力を減らすことができる。また、第一扉および第二扉は、無人搬送車がステーションに停止する前から開き始め、ステーションを離れてから閉まるので、生産効率をより高めることができる。そして、ステーションに配置する第一扉の開口が常にエアカーテン内にあるようにするので、無人搬送車が移動中に第一扉を開閉しても、塵埃がステーションの物品収納庫に侵入することがない。
【図面の簡単な説明】
【図１】無人搬送システム１の構成を示す概略図である。
【図２】ステーション３に対向する搬送車２を示す平面断面図である。
【図３】搬送車２を示す斜視図である。
【図４】搬送車２およびステーション３の正面一部断面図である。
【図５】ダクト１２の斜視図である。
【図６】各空気噴出手段の制御構成を示すブロック図である。
【図７】移載準備時の各空気流の流れを示す平面図である。
【図８】シャッタ１０・１０の開閉機構を示す斜視図である。
【図９】シャッタ１０・１０開放から移載動作開始前までの過程を示す搬送車２およびステーション３の概略平面図である。
【図１０】移載動作開始後からシャッタ１０・１０閉止までの過程を示す搬送車２およびステーション３の概略平面図である。
【図１１】第二実施例における各空気噴出手段の制御構成を示すブロック図である。
【図１２】第三実施例の搬送車５２を示す斜視図である。
【図１３】補助空気噴出手段を示す斜視図である。
【符号の説明】
１　無人搬送システム
２　搬送車（第一実施例）
３　ステーション
４　走行経路
５　物品
６　パネル
７ａ　物品収納庫
７ｂ　物品受渡口
７ｃ　開口側正面壁
８　シャッタ（扉）
９ａ　物品収納庫
９ｂ　物品受渡口
１０　シャッタ
１４Ｆ・１４Ｒ　空気噴出部（第一空気噴出手段の一部）
１５　空気噴出部（第一空気噴出手段の一部）
１６　ＦＦＵ（第一空気噴出手段の一部）
１７　制御手段
１８　ＦＦＵ（庫内空気噴出手段の一部）
１９　吸引ダクト
２８　空気噴出部（第二空気噴出手段の一部）
２９　ＦＦＵ（第二空気噴出手段の一部）
３７　制御手段
４０Ｆ・４０Ｒ　クロスフローファン（補助空気噴出手段）
【図１】
2004060955.tif 000003
【図２】
2004060955.tif 000004
【図３】
2004060955.tif 000005
【図４】
2004060955.tif 000006
【図５】
2004060955.tif 000007
【図６】
2004060955.tif 000008
【図７】
2004060955.tif 000009
【図８】
2004060955.tif 000010
【図９】
2004060955.tif 000011
【図１０】
2004060955.tif 000012
【図１１】
2004060955.tif 000013
【図１２】
2004060955.tif 000014
【図１３】
2004060955.tif 000015